(57)【要約】【課題】使用していないコネクタ受けの差込口を確実に閉塞してコネクタ受け内部への水分等の浸入を防止し、電気的な安全性等が確保されるようにする。【解決手段】２つのコネクタ受け１４ｂ，１５ｂを有するプロセッサ装置において、コネクタ受け開閉機構として、コネクタ受け１４ｂ，１５ｂの差込口側に遮蔽体１８を配置すると共に、この遮蔽体１８を上下レール１９によってスライドするように構成し、この遮蔽体１８が一方のコネクタ受け１４ｂを露出させたとき、他方のコネクタ受け１５ｂが閉塞されるようにする。また、このコネクタ受け開閉機構として、コネクタ受け１４ｂ，１５ｂのそれぞれを閉塞する遮蔽体と、これらの遮蔽体を連結する遮蔽体連結開閉機構とを設け、一方の遮蔽体がコネクタ受けを露出させたとき、他方の遮蔽体によりコネクタ受けが閉塞されるようにしてもよい。【選択図】図１
2008229204.tif 000002
【特許請求の範囲】
【請求項１】
各種の電子内視鏡の電気コネクタを接続するための複数のコネクタ受けを有し、上記電子内視鏡から出力された映像信号に対し映像処理を施すプロセッサ装置が設けられた電子内視鏡装置において、
上記コネクタ受けを露出状態と閉塞状態に設定する可動遮蔽体を有し、使用する電子内視鏡の電気コネクタに対応したコネクタ受けを上記可動遮蔽体により露出させたとき、他のコネクタ受けを閉塞するように動作するコネクタ受け開閉機構を設けたことを特徴とする電子内視鏡装置。
【請求項２】
上記コネクタ受け開閉機構は、上記可動遮蔽体が複数のコネクタ受け間をその差込口側でスライド自在となるようにし、この可動遮蔽体がスライドして一方のコネクタ受けを露出させたとき、スライドした可動遮蔽体で他方のコネクタ受けが閉塞されるように構成したことを特徴とする請求項１記載の電子内視鏡装置。
【請求項３】
上記コネクタ受け開閉機構は、上記可動遮蔽体を回転軸により揺動自在とし、この可動遮蔽体が揺動して一方のコネクタ受けを露出させたとき、揺動した可動遮蔽体で他方のコネクタ受けが閉塞されるように構成したことを特徴とする請求項１記載の電子内視鏡装置。
【請求項４】
上記コネクタ受け開閉機構は、各コネクタ受けの差込口側にそれぞれの可動遮蔽体を配置すると共に、これらの可動遮蔽体を連結する機構であって、一方のコネクタ受けの可動遮蔽体がそのコネクタ受けを露出させたとき、他方のコネクタ受けの可動遮蔽体がそのコネクタ受けを閉塞する遮蔽体連結開閉機構を設けたことを特徴とする請求項１記載の電子内視鏡装置。
【請求項５】
上記コネクタ受け開閉機構は、各コネクタ受けの差込口側にそれぞれの可動遮蔽体を配置すると共に、これらの可動遮蔽体を連結する機構であって、全ての可動遮蔽体が全てのコネクタ受けを閉塞状態とし、一方のコネクタ受けの可動遮蔽体がそのコネクタ受けを露出させたとき、他方のコネクタ受けの可動遮蔽体の閉塞状態をロックする全閉式遮蔽体連結開閉機構を設けたことを特徴とする請求項１記載の電子内視鏡装置。
【発明の詳細な説明】
【技術分野】
【０００１】
本発明は電子内視鏡装置、特に固体撮像素子等の異なる各種の電子内視鏡をプロセッサ装置で使用可能にするために、各種の電子内視鏡のコネクタを接続する複数のコネクタ受けを設けたプロセッサ装置のコネクタ受け部分の構成に関する。
【背景技術】
【０００２】
電子内視鏡装置では、光照明された被観察体が電子内視鏡（スコープ）の先端部に搭載された例えば固体撮像素子であるＣＣＤ（Charge Coupled Device）で撮像され、このＣＣＤからの撮像信号をプロセッサ装置へ供給し、このプロセッサ装置にて所定の信号処理を施すことにより、消化器官等の被観察体画像がモニタに表示される。そして、この種の電子内視鏡装置では、固体撮像素子の種類や撮像方式の異なる複数の電子内視鏡がプロセッサ装置に接続できるように構成される。
【０００３】
図６には、従来の電子内視鏡装置の構成が示されており、図６（Ａ）に示されるように、例えばＡタイプの電子内視鏡１Ａは、プロセッサ装置２に対し、光学コネクタ３と角形の電気コネクタ４ａを接続する。この光学コネクタ３は、光源光を照明光として電子内視鏡１Ａ内へ供給するためのライトガイドをプロセッサ装置２へ接続し、上記電気コネクタ４ａは、電子内視鏡１Ａに搭載されたＣＣＤ等で得られた映像信号等を主に伝送する信号線をプロセッサ装置２へ接続するために設けられる。
【０００４】
また、図６（Ｂ）に示されるように、例えばＢタイプの電子内視鏡１Ｂは、プロセッサ装置２に対し、光学コネクタ３と丸（円）形の電気コネクタ５ａが接続される。一方、プロセッサ装置２では、Ａタイプ電子内視鏡１Ａの角形の電気コネクタ４ａに適合する角形のコネクタ受け４ｂと、Ｂタイプ電子内視鏡１Ｂの丸形の電気コネクタ５ａに適合する丸形のコネクタ受け５ｂが設けられる。即ち、従来例では、電子内視鏡１Ａ，１Ｂの２種類に対応して２つのコネクタ受け４ｂ，５ｂが設けられており、ＡタイプとＢタイプとで電気コネクタ４ａ，５ａの形状を変えることより、間違ったコネクタ接続をなくしながら、各タイプの電子内視鏡１Ａ，１Ｂに適合した映像処理等が実行できるようにしている。
【特許文献１】特開平９−３０８６０６号公報
【特許文献２】特開２００４−２３６７３８号公報
【発明の開示】
【発明が解決しようとする課題】
【０００５】
しかしながら、従来の電子内視鏡装置では、上記特許文献１でも指摘されているように、電子内視鏡１Ａ，１Ｂの両方がプロセッサ装置２にコネクタ接続されると、映像信号の混在により映像が乱れるという不都合があり、また図６（Ａ），（Ｂ）のように、コネクタ受け４ｂ，５ｂの一方に接続しているとき、他方が露出状態となっていると、装置使用時に水分等がコネクタ受け４ｂ，５ｂの内部へ浸入し、電気的な安全性が低下すると共に、プロセッサ装置２内の回路動作にも不具合が生じる場合がある。
【０００６】
そこで、従来では、上記特許文献１のように、コネクタ接続規制手段を設ける方法や、上記コネクタ受け４ｂ，５ｂに着脱自在のキャップを取り付ける方法が採用されている。しかし、このキャップを取り付ける方法では、キャップの付け忘れが起こると共に、キャップを紛失したりする等の問題がある。
【０００７】
また、上記特許文献２のように、プロセッサ装置において接続していないコネクタ受け部の電気的接続線を当該装置内回路から分離することも考えられるが、この場合にも、コネクタ受け部内に、水分等が浸入すると、接点が錆び、その水分が残留していれば、接続時に不具合が生じるという問題がある。
【０００８】
本発明は上記問題点に鑑みてなされたものであり、その目的は、使用していないコネクタ受けの差込口を確実に閉塞してコネクタ受け内部への水分等の浸入を防止することができ、電気的な安全性が確保されると共に、プロセッサ装置内の回路動作の不具合も生じることのない電子内視鏡装置を提供することにある。
【課題を解決するための手段】
【０００９】
上記目的を達成するために、請求項１の発明は、各種の電子内視鏡の電気コネクタを接続するための複数のコネクタ受けを有し、上記電子内視鏡から出力された映像信号に対し映像処理を施すプロセッサ装置が設けられた電子内視鏡装置において、上記コネクタ受けを露出状態と閉塞状態に設定する可動遮蔽体（蓋、前面扉でもある）を有し、使用する電子内視鏡の電気コネクタに対応したコネクタ受け（の差込口）を上記可動遮蔽体により露出させたとき、他のコネクタ受け（の差込口）を閉塞するように動作するコネクタ受け開閉機構を設けたことを特徴とする。
請求項２の発明に係る上記コネクタ受け開閉機構は、上記可動遮蔽体が複数のコネクタ受け間をその差込口側でスライド自在となるようにし、この可動遮蔽体がスライドして一方のコネクタ受けを露出させたとき、スライドした可動遮蔽体で他方のコネクタ受けが閉塞されるように構成したことを特徴とする。
請求項３の発明に係る上記コネクタ受け開閉機構は、上記可動遮蔽体を回転軸により揺動自在とし、この可動遮蔽体が揺動して一方のコネクタ受けを露出させたとき、揺動した可動遮蔽体で他方のコネクタ受けが閉塞されるように構成したことを特徴とする。
【００１０】
請求項４の発明に係る上記コネクタ受け開閉機構は、各コネクタ受けの差込口側にそれぞれの可動遮蔽体を配置すると共に、これらの可動遮蔽体を連結する機構であって、一方のコネクタ受けの可動遮蔽体がそのコネクタ受けを露出させたとき、他方のコネクタ受けの可動遮蔽体がそのコネクタ受けを閉塞する遮蔽体連結開閉機構を設けたことを特徴とする。
請求項５の発明に係る上記コネクタ受け開閉機構は、各コネクタ受けの差込口側にそれぞれの可動遮蔽体を配置すると共に、これらの可動遮蔽体を連結する機構であって、全ての可動遮蔽体が全てのコネクタ受けを閉塞状態とし、一方のコネクタ受けの可動遮蔽体がそのコネクタ受けを露出させたとき、他方のコネクタ受けの可動遮蔽体の閉塞状態をロックする全閉式遮蔽体連結開閉機構を設けたことを特徴とする。
【００１１】
上記の構成によれば、コネクタ受け開閉機構として、例えば複数のコネクタ受け間をスライドするように可動遮蔽体を設けた場合（請求項２）は、この遮蔽体をスライドさせて一方のコネクタ受けを露出させたとき、スライドした遮蔽体で他のコネクタ受けが閉塞されるようになり、また回転軸中心に揺動可能に可動遮蔽体を配置した場合（請求項３）は、この遮蔽体を回転揺動させて一方のコネクタ受けを露出させたときには、揺動した遮蔽体で他のコネクタ受けが閉塞するようになる。
【００１２】
請求項４のコネクタ受け開閉機構の場合は、一方のコネクタ受けが露出するように一方の可動遮蔽体を移動させたとき、その移動に連動して他方の可動遮蔽体が移動し、他方のコネクタ受けが閉塞することになる。
請求項５の場合は、プロセッサ装置を使用していないときは、全てのコネクタ受けが閉塞しており、この状態から、一方のコネクタ受けが露出されるように一方の可動遮蔽体を移動させると、他方の可動遮蔽体の閉塞状態がロックされる。
【発明の効果】
【００１３】
本発明の電子内視鏡装置によれば、一方のコネクタ受けに対しコネクタが接続された時には、使用していない他方のコネクタ受けが確実に閉塞状態となり、コネクタ受け内部への水分等の浸入が防止される。その結果、電気的な安全性が確保されると共に、プロセッサ装置内の回路動作に不具合が生じることもないという効果がある。
【００１４】
また、請求項５の発明によれば、電子内視鏡装置の不使用時に、コネクタ受けの全てを閉塞状態にすることができ、水分等の浸入防止効果が高められるという利点がある。
【発明を実施するための最良の形態】
【００１５】
図１及び図２には、第１実施例に係る電子内視鏡装置の構成が示されており、この第１実施例は、可動遮蔽体をスライド自在にするコネクタ受け開閉機構を用いたものである。図２において、電子内視鏡装置は、例えばＡタイプの電子内視鏡（スコープ）１Ａと、Ｂタイプの電子内視鏡１Ｂを有し、これらをプロセッサ装置１２に接続できるように構成される。なお、プロセッサ装置１２では、光源部が内蔵されているが、光源装置が別体で設けられているものもある。
【００１６】
図１において、プロセッサ装置１２には、各種の電子内視鏡１Ａ，１Ｂの光源コネクタ３を接続するコネクタ受け１３が設けられると共に、Ａタイプの電子内視鏡１Ａの電気コネクタ１４ａを接続する角形コネクタ受け１４ｂと、Ｂタイプの電子内視鏡１Ｂの電気コネクタ１５ａを接続する丸形コネクタ受け１５ｂが設けられる。そして、第１実施例では、ツマミ１７を表面側に取り付けた平板の遮蔽体（蓋体）１８と、この遮蔽体１８を上下で保持した状態でコネクタ受け１４ｂ及び１５ｂの差込口（前面）側をスライドさせる上下レール１９とが設けられ、この上下レール１９の端部には、レール部材を上下レール間中央側へ折り曲げた係止部（ストッパ）２０が形成される。
【００１７】
このような第１実施例によれば、図１（Ａ）に示されるように、ツマミ１７によって遮蔽体１８を図の左側へ移動させ、係止部２０へ当たるまでスライドさせれば、コネクタ受け（差込口）１４ｂが閉塞され（閉となり）、コネクタ受け１５ｂが露出される（開となる）ことになり、このコネクタ受け１５ｂに、Ｂタイプの電子内視鏡１Ｂのコネクタ１５ａを接続することができる。一方、図１（Ｂ）に示されるように、遮蔽体１８を図の右側へスライド移動させれば、コネクタ受け（差込口）１５ｂが閉塞され、コネクタ受け１４ｂが露出され、図２に示されるように、このコネクタ受け１４ｂに、Ａタイプの電子内視鏡１Ａのコネクタ１４ａを接続できることになる。なお、上記上下レール１９の係止部２０は、遮蔽体１８の停止位置を案内すると共に、遮蔽体１８の脱落を防止する役目をする。
【００１８】
このようにして、第１実施例のコネクタ受け開閉機構によれば、コネクタ受け１４ｂと１５ｂの一方が選択的に露出され、そのとき他方は閉塞されることになるので、コネクタ受け１４ｂ，１５ｂへの水分等の浸入が確実に防止される。なお、第１実施例では、２つのコネクタ受け１４ｂ，１５ｂが配置されている場合を説明したが、３つ以上のｎ個のコネクタ受けが配置されている場合は、ｎ−１個の独立した遮蔽体をスライド自在に配置することにより、使用する１つのコネクタ受けを露出させ、その他の不使用のコネクタ受けを閉塞することが可能になる。
【００１９】
図３には、第２実施例に係る電子内視鏡装置のプロセッサ装置の構成が示されており、この第２実施例は、可動遮蔽体を回転軸により揺動自在にするコネクタ受け開閉機構を用いたものである。図３において、プロセッサ装置２２には、コネクタ受け１４ｂと１５ｂとの中間点に回転軸２４が配置され、この回転軸２４を中心として回転揺動する平板の揺動遮蔽体２５が設けられる。また、この揺動遮蔽体２５には、この揺動遮蔽体２５をコネクタ受け１４ｂ側へ引っ張る付勢部材（スプリング等）２７と、揺動遮蔽体２５をコネクタ受け１５ｂ側へ引っ張る付勢部材２８とが配置される。
【００２０】
このような第２実施例によれば、図３（Ａ），（Ｂ）に示されるように、揺動遮蔽体２５を図の右側へ揺動させると、付勢部材２８が揺動遮蔽体２５をコネクタ受け１５ｂ側へ引っ張ることにより、この揺動遮蔽体２５がコネクタ受け（差込口）１５ｂを閉塞し、コネクタ受け１４ｂが露出される。一方、揺動遮蔽体２５を図の左側へ揺動させると、付勢部材２７が揺動遮蔽体２５をコネクタ受け１４ｂ側へ引っ張ることにより、図３（Ｃ）に示されるように、揺動遮蔽体２５がコネクタ受け（差込口）１４ｂを閉塞し、コネクタ受け１５ｂが露出される。
【００２１】
図４には、第３実施例の電子内視鏡装置のコネクタ受け開閉機構の構成が示されており、この第３実施例は、各コネクタ受けの差込口側に配置した２つの可動遮蔽体を選択的に開閉するものである。図４において、プロセッサ装置１２には、コネクタ受け１４ｂの差込口側（前面）を塞いだ位置から上へ移動するように案内された平板の遮蔽体３０、コネクタ受け１５ｂの差込口側を塞いだ位置から上へ移動するように案内された平板の遮蔽体３１が設けられ、これら遮蔽体３０と３１の連結開閉機構として、遮蔽体３０にラック３２、遮蔽体３１にラック３３が取り付けられ、かつこれらラック３２とラック３３との間にピニオン３４が噛合配置される。なお、上記遮蔽体３０と３１の下側には、前側へ突出する突起で、指を載置するための操作突起部３５が形成される。
【００２２】
このような第３実施例によれば、図４（Ａ）の状態から操作突起部３５で遮蔽体３１を図の下側へ押し下げると、ラック３３、ピニオン３４及びラック３２を介して遮蔽体３０が上昇し、図４（Ｂ）の状態となり、コネクタ受け１５ｂが閉塞してコネクタ受け１４ｂが露出される。一方、図４（Ｂ）の状態から操作突起部３５で遮蔽体３０を図の下側へ押し下げると、ラック３２、ピニオン３４及びラック３３を介して遮蔽体３１が上昇し、図４（Ａ）の状態となり、コネクタ受け１４ｂが閉塞してコネクタ受け１５ｂが露出される。そして、図４（Ａ）のように露出したコネクタ受け１５ｂにＢタイプの電子内視鏡１Ｂのコネクタ１５ａが接続され、図４（Ｂ）のように露出したコネクタ受け１４ｂにＡタイプの電子内視鏡１Ａのコネクタ１４ａが接続される。
【００２３】
なお、この第３実施例では、連結開閉機構の構成にラック３２，３３とピニオン３４を用いたが、この連結開閉機構にリンク機構等を利用してもよいし、また遮蔽体３０，３１を１枚の板状体としたが、コネクタ受け１４ｂ，１５ｂのそれぞれの遮蔽体として、２枚以上の小遮蔽体を開閉動作させるような遮蔽構造を用いてもよい。
【００２４】
図５には、第４実施例のコネクタ受け開閉機構の構成が示されており、この第４実施例は、各コネクタ受けの前面側に配置した２つの可動遮蔽体を全閉状態とし、この状態から１つの可動遮蔽体を選択的に開閉するものである。図５において、プロセッサ装置１２には、コネクタ受け１４ｂの差込口側を塞いだ位置から上へ移動するようにガイドされた平板の遮蔽体３８、コネクタ受け１５ｂの差込口側を塞いだ位置から上へ移動するようにガイドされた平板の遮蔽体３９が設けられ、これら遮蔽体３８と３９の連結開閉機構として、水平方向で左右に往復動する往復動ストッパ４０と、遮蔽体３８側の誘導体（作動体）４１及び遮蔽体３９側の誘導体４２が設けられる。
【００２５】
上記往復動ストッパ４０は、その本体に形成された案内溝４３とこの案内溝４３に係合する２つのピン４４によって左右に往復動し、この往復動ストッパ４０の左右端には、下側をカットした下向き斜面４０ｓが設けられる。一方、上記誘導体４１と４２には、往復動ストッパ４０の左右の下向き斜面４０ｓに当接する（下向き斜面４０ｓの傾斜角度に合わせた傾斜角度の斜面を有し、この斜面４０ｓに接触する）上向き斜面４１ｓと４２ｓが形成される。なお、遮蔽体３８と３９の下側には、前側へ突出する突起で、指を載置するための操作突起部４５が設けられる。
【００２６】
このような第４実施例によれば、装置の不使用時には、図５（Ａ）に示されるように、遮蔽体３８，３９によって、両方のコネクタ受け１４ｂ，１５ｂが閉塞され、全閉状態となっている。そして、Ａタイプの電子内視鏡１Ａを使用する場合は、図５（Ａ）の状態から、図５（Ｂ）に示されるように、遮蔽体３８を操作突起部４５によって図の上側へ押し上げると、誘導体４１の上向き斜面４１ｓが下向き斜面４０ｓを押すことにより往復動ストッパ４０を右側へ移動させ、遮蔽体３８の側面が往復動ストッパ４０の側面に当接した状態となり、コネクタ受け１４ｂが露出され、開状態となる。このとき、往復動ストッパ４０は左側への移動が規制されると共に、往復動ストッパ４０の右側の下向き斜面４０ｓが上向き斜面４２ｓに当接するため、遮蔽体３９の上側への移動ができなくなってロックされる。その後、この電子内視鏡１Ａの使用が終了したときには、コネクタ受け１４ｂからコネクタ１４ａを抜き、遮蔽体３８を押し下げれば、図５（Ａ）の状態に戻ることになる。
【００２７】
一方、Ｂタイプの電子内視鏡１Ｂを使用する場合は、図５（Ａ）の状態から、図５（Ｃ）に示されるように、遮蔽体３９を操作突起部４５によって図の上側へ押し上げると、誘導体４２の上向き斜面４２ｓが下向き斜面４０ｓを押すことにより往復動ストッパ４０を左側へ移動させ、遮蔽体３９の側面が往復動ストッパ４０の側面に当接した状態となり、コネクタ受け１５ｂが露出され、開状態となる。このとき、往復動ストッパ４０は右側への移動が規制されると共に、往復動ストッパ４０の左側の下向き斜面４０ｓが上向き斜面４１ｓに当接するため、遮蔽体３８の上側への移動ができなくなってロックされる。
【００２８】
なお、この第４実施例では、遮蔽体３８，３９の一方が上側へ押し上げられ、開状態となっているとき、その開状態を維持するための係止手段（凹凸部嵌合部材等）を設けてもよい。
また、第３実施例、第４実施例のコネクタ受け開閉機構をコネクタ受けが３つ以上配置されたプロセッサ装置に応用することもできる。
【図面の簡単な説明】
【００２９】
【図１】本発明の第１実施例に係る電子内視鏡装置のプロセッサ装置の構成を示し、図（Ａ），（Ｃ）は正面図、図（Ｂ）は図（Ａ）のＢ−Ｂ線断面図である。
【図２】第１実施例の電子内視鏡装置の全体構成を示す斜視図である。
【図３】第２実施例に係るプロセッサ装置の構成を示し、図（Ａ）は上面図、図（Ｂ），（Ｃ）は正面図である。
【図４】第３実施例のプロセッサ装置におけるコネクタ受け開閉機構及びその動作状態を示す図である。
【図５】第４実施例のプロセッサ装置におけるコネクタ受け開閉機構及びその動作状態を示す図である。
【図６】従来の電子内視鏡装置の構成を示し、図（Ａ）はＡタイプの電子内視鏡を用いたときの図、図（Ｂ）はＢタイプの電子内視鏡を用いたときの図である。
【符号の説明】
【００３０】
１Ａ…Ａタイプの電子内視鏡、  １Ｂ…Ｂタイプの電子内視鏡、
４ａ，１４ａ，５ａ，１５ａ…コネクタ、
４ｂ，１４ｂ，５ｂ，１５ｂ…コネクタ受け、
２，１２，２２…プロセッサ装置、
１８，３０，３１，３８，３９…遮蔽体、
１９…上下レール、            ２０…係止部、
２４…回転軸、                ２５…揺動遮蔽体、
３２，３３…ラック、          ３４…ピニオン、
４０…往復動ストッパ、        ４１，４２…誘導体、
４０ｓ，４１ｓ，４２ｓ…斜面。
【図１】
2008229204.tif 000003
【図２】
2008229204.tif 000004
【図３】
2008229204.tif 000005
【図４】
2008229204.tif 000006
【図５】
2008229204.tif 000007
【図６】
2008229204.tif 000008